(57)【要約】
【課題】　　　本考案は、　変圧器のプラグの導電性差し込み脚部の後方部に凹部領域を形成して絶縁被覆した、変圧器のプラグの絶縁構造を提供する。
【解決手段】　前記変圧器２０の外側ケースから伸長する、差し込みプラグの導電性差し込み脚部３０の後方部分に凹部領域を形成し、この後方部分を絶縁カバー３０２で被覆した構成としたので、これにより、変圧器を長時間使用しているうちに前記後方部分にゴミやほこりが溜まってそのままの状態で使用したとしても、短絡が起きないようにすることのできる変圧器のプラグの絶縁構造とした。
【選択図】　　図２
0003099038.tif 000002
【実用新案登録請求の範囲】
【請求項１】
１対の導電性差し込み脚部を有する変圧器のプラグの絶縁構造であって、各導電性差し込み脚部には、凹部領域が形成された後方部分があり、前記後方部分は、前記変圧器の外側ケースから伸長し、絶縁カバーで被覆されており、これによって、前記導電性差し込み脚部は、ゴミやほこりで使用中に短絡が起こることを防止できるようにした変圧器のプラグの絶縁構造。
【請求項２】
前記凹部領域は、長さが５mm〜８mmで、深さが０.２５mm〜０.３mmである請求項１記載の変圧器のプラグの絶縁構造。
【請求項３】
前記凹部領域の深さは、前記各導電性差し込み脚部の被覆絶縁カバーの厚みとほぼ同じである請求項１記載の変圧器のプラグの絶縁構造。
【考案の詳細な説明】
【技術分野】
【０００１】
　本考案は変圧器のプラグの絶縁構造に関し、更に具体的に言うと、プラグにおける差し込み脚部の絶縁によるショート（短絡）を防止する、変圧器のプラグの絶縁構造に関する。
【背景技術】
【０００２】
　図１に従来形の変圧器を示す。従来形の変圧器には、金属製の１対の差し込み脚部１０からなるプラグが付いているが、プラグがソケットに嵌合されたときに、プラグの差し込み脚部１０が完全に嵌合せず隙間が生じ、部分的に露出してしまうことがある。この露出した差し込み脚部１０とソケットとの隙間には、長期間使用しているうちにゴミとか髪の毛などが溜まって、ショート（短絡）し易くなり、火花が出て、最悪の場合には発火の原因となってしまうという恐れがある。
【特許文献１】特開平０６−１５０９９７号公報
【考案の開示】
【考案が解決しようとする課題】
【０００３】
　したがって、本考案では、プラグの導電性差し込み脚部の後方部分に凹部領域を形成して、ここに絶縁体のカバーを被覆することにより、長期間における使用であってもプラグの導電性の差し込み脚部間にゴミとか髪の毛などが溜まって起こるショート（短絡）に対し絶縁できるようにした、変圧器のプラグの絶縁構造を提供する。
【課題を解決するための手段】
【０００４】
　請求項１の考案は、1対の導電性差し込み脚部を有する変圧器のプラグの絶縁構造であって、各導電性差し込み脚部には、凹部領域が形成された後方部分があり、前記後方部分は、前記変圧器の外側ケースから伸長し、絶縁カバーで被覆されており、これによって、前記導電性差し込み脚部は、ゴミやほこりで使用中に短絡が起こることを防止できるようにしたことを特徴とする。
【０００５】
　請求項２の考案は、請求項１に記載した変圧器のプラグの絶縁構造において、　前記凹部領域は、長さが５mm〜８mmで、深さが０.２５mm〜０.３mmであることを特徴とする。
【０００６】
　請求項３の考案は、請求項１に記載した変圧器のプラグの絶縁構造において、前記凹部領域の深さは、前記各導電性差し込み脚部の被覆絶縁カバーの厚みとほぼ同じであることを特徴とする。
【考案の効果】
【０００７】
　以上のように構成したので、本考案の変圧器のプラグの絶縁構造には以下の効果がある。
　１．変圧器２０のプラグの導電性差し込み脚部３０は絶縁カバー３０２によって外部物質から絶縁されるので、通電時に、導電性差し込み脚部の間に堆積したほこりや髪の毛などで短絡が起こることがない。
　２．絶縁カバー３０２は、ソケットＡから変圧器２０を抜き取る場合に、特に子供や老人などが誤って導電性差し込み脚部３０の露出した後方部分に触れてしまっても、感電などの不測の事故が起こるのを防止することができる。
【考案を実施するための最良の形態】
【０００８】
　本考案では、プラグの導電性差し込み脚部の後方部分に凹部領域を形成して、ここに絶縁体のカバーを被覆する。
【実施例】
【０００９】
　図２には、本考案の絶縁カバー３０２が配設された一対の導電性差し込み脚部３０，３０を有する変圧器２０が示されている。
【００１０】
　図３では更に、本考案の導電性差し込み脚部３０の詳細な構成が拡大図に示されており、各導電性差し込み脚部３０の後方部分には、脚部３０の突出基部より先端方向に長さ５mm〜８mmの範囲を、厚さが０.２５mm〜０.３mm薄くした凹部領域３０１が形成されている。
【００１１】
　前記導電性差し込み脚部３０を変圧器ケース用の型取りモールドに入れて、変圧器２０の外側ケースを射出成型する。その後、組立構成して、プラグの導電性差し込み脚部３０を外側ケースから飛び出させて位置付け、その後方部分の凹部領域３０１を、プラスティックの絶縁カバー３０２で、凹部領域３０１の厚みとほぼ同じ厚さにコーティングする。こうして被覆された絶縁カバー３０２は、ソケットＡと組合せた変圧器のプラグの通常作動を妨げることがない。
【００１２】
　図４は本考案の変圧器のプラグの使用状態を示し、本考案の変圧器のプラグが導電性差し込み脚部３０によってソケットＡにぴたりと嵌められた状態にあり、ソケットＡから外側に露出している導電性差し込み脚部３０の後方部分が外側の物体から絶縁されているので、導電性差し込み脚部間にゴミや髪の毛やほこりが堆積しても、通電時に、導電性差し込み脚部３０を介してショートが起こるのを防止することができる。
【００１３】
　したがって、長時間使用しているうちに、たとえ導電性差し込み脚部３０の後方部分とソケット間にゴミや髪の毛やほこりが堆積したとしても、ショートを起こさないようにできるので、発火などの危険を防止できる。
【００１４】
　また、本考案の絶縁カバーをコーティングされた導電性差し込み脚部を有するプラグを使用すれば、例えば、電気器具を取り扱うときの危険性を理解していないような子供であるとか老人が、変圧器２０の使用終了後ソケットＡから抜き取る場合に、不用意に導電性差し込み脚部３０の露出した後方部分に指などが触れてしまって感電する、というような思わぬ事故が起きるのを防止できる。
【産業上の利用可能性】
【００１５】
　本考案の絶縁カバー３０２は、種々に変更した形態で、あらゆる種類のプラグに適用することができるものである。
【図面の簡単な説明】
【００１６】
【図１】従来の変圧器のプラグの斜視図。
【図２】本考案の変圧器のプラグを示す斜視図で、プラグの導電性差し込み脚部が絶縁カバーで被覆されている変圧器のプラグの絶縁構造を示している。
【図３】図２の絶縁カバーで被覆されたプラグの導電性差し込み脚部の部分拡大図。
【図４】本考案の変圧器のプラグをソケットに差し込んだ使用状態を示す側面図。
【符号の説明】
【００１７】
　　２０　　　変圧器
　　３０　　　導電性差し込み脚部
　　３０１　　凹部領域
　　３０２　　絶縁カバー
　　Ａ　　　　ソケット
【図１】
0003099038.tif 000003
【図２】
0003099038.tif 000004
【図３】
0003099038.tif 000005
【図４】
0003099038.tif 000006